(57)【要約】【課題】  ディスプレイを取付対象に取り付けるためのディスプレイ取付装置であって、物品の収容や出し入れ、あるいは作業者が作業できるような使用空間を取付対象に設けることができるようにすると共に、使用空間に収容した物品にディスプレイが接触しないようにしたものを提供する。【解決手段】    ディスプレイ取付装置２は、取付対象である床頭台１の天井部１３に対してディスプレイＴを水平方向に回動可能に取り付けることができる。ディスプレイＴが回転中心から回転半径方向に離間した位置で回動することにより、回転中心とディスプレイＴの間に使用空間Ｓが設けられる。【選択図】  図１
2006208834.tif 000002
【特許請求の範囲】
【請求項１】
取付対象に対してディスプレイ(T)を水平方向に回動可能に取り付けることができるディスプレイ取付装置であって、
回転中心から回転半径方向に離間した位置でディスプレイ(T)が回動することにより、回転中心とディスプレイ(T)の間に使用空間(S)が設けられるようにしたことを特徴とする、
ディスプレイ取付装置。
【請求項２】
取付対象に対し水平方向に回転可能に取り付けられる回転体(6)(6a)と、
回転体(6)(6a)の回転中心とディスプレイ(T)の間に使用空間が設けられるように、回転体(6)(6a)の回転中心から回転半径方向に離間した位置にディスプレイ(T)を吊り下げた状態で取り付けることができる取付体(8)(8a,85)を備えていることを特徴とする、
ディスプレイ取付装置。
【請求項３】
取付対象に設けられた使用空間(S)の周りをディスプレイ(T)が水平方向に回るように、ディスプレイ(T)を取付対象に取り付けることができる取付要素を有していることを特徴とする、  
ディスプレイ取付装置。
【請求項４】
請求項１，２，３または４記載のディスプレイ取付装置(1)を備えていることを特徴とする、
物品収容構造体。
【発明の詳細な説明】
【技術分野】
【０００１】
本発明は、ディスプレイ取付装置及びそれを備えた物品収容構造体に関する。
更に詳しくは、ディスプレイを取付対象に取り付けるためのディスプレイ取付装置であって、物品の収容や出し入れ、あるいは作業者が作業できるような使用空間を取付対象に設けることができるようにすると共に、使用空間に収容した物品にディスプレイが接触しないようにしたもの及びそれを備えた物品収容構造体に関する。
【背景技術】
【０００２】
近年、テレビジョン受信機やパーソナルコンピュータ（以下、単に「テレビ」、「パソコン」という場合がある。）等のディスプレイは、ＣＲＴディスプレイから軽量で薄型の液晶ディスプレイ等といったフラットパネルディスプレイに移行している。これにより、テレビ台やパソコン台に占めるディスプレイの設置面積が小さくなった。
【０００３】
例えば特許文献１には、このような薄型テレビ用のテレビ取付け装置及びテレビ取付け装置を備えたテレビ付き床頭台が提案されている。これによれば、薄型テレビは床頭台の天井部から吊り下げられた状態で取り付けられるので、床頭台の台部上面が使用できる点について開示されている。また、薄型テレビが左右及び前後方向にスライド可能であるため、テレビ画面の向きや角度、位置を調整でき、見やすい姿勢でテレビを楽しむことができる点について開示されている。
【特許文献１】特許第２９１４５６８号公報
【発明の開示】
【発明が解決しようとする課題】
【０００４】
しかしながら、特許文献１に記載のものでは次のような課題があった。
テレビを見ないときなどは、薄型テレビを後方にスライドさせることはできるが、必ず台部上を横切ることとなるため、薄型テレビの背面側に置いた物品と接触する恐れがある。例えば台部上に花瓶やコップを置いた場合には、薄型テレビで花瓶やコップを倒して破損させる恐れがある。
【０００５】
（本発明の目的）
そこで本発明の目的は、ディスプレイを取付対象に取り付けるためのディスプレイ取付装置であって、物品の収容や出し入れ、あるいは作業者が作業できるような使用空間を取付対象に設けることができるようにすると共に、使用空間に収容した物品にディスプレイが接触しないようにすることにある。
【０００６】
本発明の他の目的は、上記した目的を達するディスプレイ取付装置を備えた物品収容構造体を提供することにある。
【課題を解決するための手段】
【０００７】
上記目的を達成するために本発明が講じた手段は次のとおりである。
【０００８】
第１の発明にあっては、
取付対象に対してディスプレイを水平方向に回動可能に取り付けることができるディスプレイ取付装置であって、
回転中心から回転半径方向に離間した位置でディスプレイが回動することにより、回転中心とディスプレイの間に使用空間が設けられるようにしたことを特徴とする、
ディスプレイ取付装置である。
【０００９】
第２の発明にあっては、
取付対象に対し水平方向に回転可能に取り付けられる回転体と、
回転体の回転中心とディスプレイの間に使用空間が設けられるように、回転体の回転中心から回転半径方向に離間した位置にディスプレイを吊り下げた状態で取り付けることができる取付体を備えていることを特徴とする、
ディスプレイ取付装置である。
【００１０】
第３の発明にあっては、
取付対象に設けられた使用空間の周りをディスプレイが水平方向に回るように、ディスプレイを取付対象に取り付けることができる取付要素を有していることを特徴とする、  
ディスプレイ取付装置である。
【００１１】
第４の発明にあっては、
第１，２または第３の発明に係るディスプレイ取付装置を備えていることを特徴とする、
物品収容構造体である。
【００１２】
ディスプレイ取付装置で取り付けるディスプレイとしては、使用空間を広くとるため、薄型のもの（薄型ディスプレイ）が好ましい。具体的には、液晶ディスプレイ（ＬＣＤ）、プラズマディスプレイ（ＰＤＰ）、有機ＥＬディスプレイ等といったフラットパネルディスプレイや、薄型のＣＲＴディスプレイ（ブラウン管）などを挙げることができる。
【００１３】
物品収容構造体としては、ディスプレイを取り付け可能なものであれば良い。例えばディスプレイがテレビであれば、テレビ台、サイドボード、机、キャビネット、棚等の家具類や、台所用流し台の上の収納棚やキャビネット等を挙げることができる。例えばディスプレイがパソコン用のディスプレイであれば、パソコン台等を挙げることができる。パソコン台の場合には、使用空間にタワー型などのパソコン本体を置くこともできる。
【００１４】
ディスプレイ取付装置は、手動だけでなく、モータ等の動力源によってディスプレイが回動または回るように構成できる。
【００１５】
（作  用）
本発明に係るディスプレイ取付装置は、次のように作用する。
ディスプレイ取付装置により、取付対象に取り付けられたディスプレイは、回転中心から回転半径方向に離間した位置で水平方向に回動する。これにより、ディスプレイの回転中心とディスプレイの間に使用空間が設けられる。
【００１６】
したがって、例えば取付対象が床頭台のような物品収容構造体であれば、この使用空間に物品を収容できる。更にディスプレイを回動させることで、使用空間からの物品の出し入れが可能となる。
【００１７】
またディスプレイを見ないときは回動して移動させることができるが、その際、ディスプレイは使用空間を横切ることなく使用空間の周りを回るため、使用空間に収容した物品にディスプレイが接触することはない。
【００１８】
更に、例えば取付対象が台所用流し台の上の収納棚の下部であれば、通常は、ディスプレイに映したテレビの料理番組を見ながら料理でき、またテレビを見ないときにはディスプレイを後方に回動させれば広い使用空間で料理をすることができる。
【００１９】
取付対象に対し水平方向に回転可能に取り付けられる回転体と、ディスプレイを回転体に取り付けることができる取付体とを備えているものは、次のように作用する。
回転体が水平方向に回動することにより、取付体によって取り付けられたディスプレイは、回転中心から回転半径方向に離間した位置で回動することにより、ディスプレイの回転中心とディスプレイの間に使用空間が設けられる。
【発明の効果】
【００２０】
本発明は上記構成を備え、次の効果を有する。
（ａ）本発明に係るディスプレイ取付装置を用いて取付対象にディスプレイを取り付けることにより、ディスプレイの回転中心とディスプレイの間に使用空間が設けられる。よって、例えば取付対象が床頭台のような物品収容構造体であれば、物品を収容したり、出し入れできる使用空間を形成できる。またディスプレイは使用空間を横切ることなく、使用空間の周りを回るため、使用空間に収容した物品にディスプレイが接触することはない。
【００２１】
（ｂ）本発明に係る物品収容構造体によれば、上記した効果を有するディスプレイ取付装置を備えた物品収容構造体が得られる。
【発明を実施するための最良の形態】
【００２２】
以下、本発明を実施例により説明するが、本発明はこれらに限定されるものではない。
【００２３】
本発明を図面に示した実施例に基づき更に詳細に説明する。
【実施例１】
【００２４】
図１ないし図６は、本発明に係るディスプレイ取付装置及びそれを備えた物品収容構造体の第一の実施例を示す説明図である。
なお、説明の便宜上、ディスプレイ取付装置にディスプレイを取り付けた状態を図示している。本実施例では、物品収容構造体として床頭台を、ディスプレイとして液晶テレビ等の薄型テレビをそれぞれ例に挙げて説明する。これについては、実施例２についても同様である。
【００２５】
図１は、薄型テレビを取り付けた状態を示すディスプレイ取付装置を備えた床頭台の斜視説明図、
図２は図１の平面視説明図、図３は図１の正面視説明図であり、ディスプレイを右側面側に移動させた状態をそれぞれ想像線で表している。
【００２６】
床頭台１は、所要数の引出し１０１を備えた床頭台本体１０を備えており、床頭台本体１０の上面部が物品を載置する載置部１０２を構成している。床頭台本体１０の側面側から上方に延設された一対の支持部材１１，１１と、床頭台本体１０の背面側から上方に延設された背面部材１２によって、載置部１０２から所要の高さ位置で天井部１３が支持されている。
【００２７】
天井部１３は板体で構成されている。側面側の支持部材１１，１１は、載置部１０２から上方に位置する部分に側面視略コ状に切り欠かれている。符号１１１は切り欠かれて構成された開口部の縁部を示している。載置部１０２と天井部１３間に物品を収容できる使用空間Ｓが設けてある。
【００２８】
床頭台の天井部には、ディスプレイ取付装置２が取り付けてある。ディスプレイ取付装置２は、使用空間Ｓを備えた床頭台１に薄型テレビＴを取り付けるためのものである。図２及び図３に示すように、ディスプレイ取付装置２は、使用空間Ｓの周りを薄型テレビＴが表示面３１を外側に向けて水平方向に所要角度の範囲で回るように、薄型テレビＴは使用空間Ｓにおいて上方から吊り下げてある。
【００２９】
図４は、ディスプレイ取付装置を背面斜視方向から見た分解斜視説明図である。
図５は、ディスプレイ取付装置を床頭台に取り付けた状態を示す一部拡大側面視説明図であり、ディスプレイ取付装置の取付状態が分かるように床頭台の天井部を断面して表している。
【００３０】
図４に示すディスプレイ取付装置２は、上から順に、吊下体４と、吊下体４のボルト４１に嵌め入れられる円形のスペーサー５、ディスプレイ回転体６及び円形の支持プレート７といった取付要素を備え、吊下体４の先部に固着されるナット９１と袋ナット９２で止められている。ディスプレイ回転体６には、後述するように薄型テレビＴを取り付けるディスプレイ取付体８が一体的に設けてある。
【００３１】
スペーサー５、ディスプレイ回転体６及び円形の支持プレート７は、軸体であるボルト４１を回転中心として回動する。ボルト４１は、板状の取付部である取付板４２の中央に立設している。
【００３２】
そして、図５に示すように、吊下体４は、ボルト４１の先部側を天井部１３の底面部１３１に張られた化粧板から下方に突き出した状態で、天井部１３の略中央付近に固定されている。詳しくは、天井部１３の板材１３２に吊下体４の取付板４２を嵌め入れる凹部１３０が設けてあり、凹部１３０にボルト４１を通す孔（符号省略）が下方に向けて開口している。そして、孔にボルト４１を通した状態で、止めネジ４２１によって取付板４２が凹部１３０内に固定されている。板材１３２の上面部１３３にも化粧板が張られることにより、取付板４２は天井部１３の内部に収容され、外から見えない。
【００３３】
以上のようにして天井部１３から下方に突き出したボルト４１に、図４に示すスペーサー５、ディスプレイ回転体６、支持プレート７が順に嵌め入れられ、最後にナット９１及び袋ナット９２が止められている。ナット９１及び袋ナット９２は、スペーサー５、ディスプレイ回転体６及び支持プレート７の回動が妨げられない程度に締めてある。
【００３４】
スペーサー５は、円形でプラスチックや他の素材で形成されたスペーサー本体５２を有している。スペーサー本体５２の周縁部には、金属製で円柱形状の回動体であるローラー５１が所要の間隔をおいて放射状に所要数設けてある。ローラー５１はスペーサー本体５２からやや上方に張り出した状態で設けてあり、天井部１３の底面部１３１に接触する。これにより、天井部１３の底面部１３１に対する摩擦抵抗を抑え、軽い操作力で薄型テレビＴを回すことができる。またスペーサー本体５２は、扇形の開口部（符号省略）を所要数（本実施例では６箇所）有する。
【００３５】
ディスプレイ回転体６とディスプレイ取付体８は、長板状の金属板を折り曲げることで一体的に形成されている。ディスプレイ回転体６は、使用空間Ｓの上方で水平方向に回転する回転体である。ディスプレイ取付体８は、ディスプレイ回転体６の回転中心から回転半径方向に離間した位置に薄型テレビＴを吊り下げた状態でディスプレイ回転体６に取り付けるものである。図２に示すように、ディスプレイ回転体６は、スペーサー５を半分に切った大きさの半円部分に長方形の板を足したような形状となっている。そして、その長方形の板に相当する部分の先端縁に、側面視Ｌ形状のディスプレイ取付体８が同じ一枚の金属板で連続的に設けてある。このような構成により、薄型テレビＴは、回転中心から回転半径方向に離間した位置で水平方向に回動し、薄型テレビＴの回転中心と薄型テレビＴの間に使用空間が設けられる。
【００３６】
ディスプレイ回転体６には、吊下体４に嵌め入れることができるボルト孔６１が所要数（本実施例では二箇所）設けてある。吊下体４に嵌め入れるボルト孔６１の位置を変えることで、吊下体４からディスプレイ取付体８までの距離、即ち、吊下体４を回転中心とするディスプレイ取付体８の回転半径を調整できる。
【００３７】
図６は、ディスプレイ取付体に設けてある薄型テレビの角度調整機構を示す斜視説明図で、説明の便宜上、ディスプレイ回転体及びディスプレイ取付体を想像線で表している。
【００３８】
図５及び図６に示すように、ディスプレイ取付体８の正面側には角度調整部材８１を介して板状の取付部である取付プレート８２が設けてある。この取付プレート８２に薄型テレビＴの背面部がネジ止めされる。本実施例では、角度調整部材８１が二つのヒンジ８１１，８１２をネジで連結して形成されてある。ヒンジ８１１，８１２の開き具合を調整することで、取付プレート８２の傾斜角度を変えて、薄型テレビＴの傾斜角度を調整できる。
【００３９】
ディスプレイ取付体８には、高さ方向に所要の間隔をおいて複数並設された調整孔８１３が設けてある。この調整孔８１３にヒンジ８１１がネジ止めしてあり、ネジ止めする位置を変えることで、取付プレート８２の高さを調整できる。これにより、表示面が多少異なる大きさの薄型テレビＴにも対応できる。
【００４０】
ディスプレイ取付体８には、やや大きめの孔８４が所要数（本実施例では二箇所）設けてある。図５に示すように、この孔８４から薄型テレビＴの配線コード３２を引き出すことができる。薄型テレビＴの配線コード３２は、断線しなように屈曲性が少ないものを採用することが好ましい。
【００４１】
ディスプレイ取付体８は、先端の縁部分が上方にやや傾斜して曲げられた載置部８３を有している。これにより、表示面３１をやや上方に向けて薄型テレビＴを傾けると、載置部８３に薄型テレビＴの底部側が当たって薄型テレビＴを傾けた状態で支持する。
【００４２】
上記したように、ディスプレイ回転体６の下方には、円形で金属製の板体である支持プレート７が位置している。符号７１は、吊下体４に嵌め入れることができるボルト孔を示している。支持プレート７は、薄型テレビＴの重さによってディスプレイ回転体６がディスプレイ取付体８側に下方傾斜することを下方から支持して抑える。
【００４３】
また図５に示すように、支持プレート７の底面部の所要の位置には、ディスプレイ取付体８の孔８４から引き出した配線コード３２を引っ掛けるフック７２が設けてある。フック７２は、配線コード３２が垂れ下がらないように保持する保持部を構成する。配線コード３２は、床頭台１の背面部材１２（図１参照）に設けた孔１２１から床頭台１の裏へ引き出すことができる。
【００４４】
（作  用）
ディスプレイ取付装置２は次のように作用する。
薄型テレビＴが正面側に向いている図１に示す状態から、薄型テレビＴを例えば右方向または左方向に手で押すと、図４及び図５に示すスペーサー５、ディスプレイ回転体６、支持プレート７及びディスプレイ取付体８は、共に吊下体４のボルト４１を回転中心として回動する。これにより、例えば図２及び図３の想像線で示すように（右方向に回した場合を図示）、薄型テレビＴは、使用空間Ｓの周りを表示面３１を外側に向けて水平方向に所要角度の範囲で回る。よって、テレビを見ない場合は、薄型テレビＴを後方に移動させることができる。
【００４５】
本実施例では、薄型テレビＴは正面側で約１８０度の角度範囲内で左方向または右方向に回るように設計されている。なお、薄型テレビＴの回転半径を小さくしたり、大きな使用空間Ｓを有する床頭台１に取り付ければ、薄型テレビＴが３６０度回るようにすることもできる。
【００４６】
上記したように、薄型テレビＴを手で押せば、薄型テレビＴは使用空間Ｓの周りを水平方向に回るので、薄型テレビＴが使用空間Ｓ内を横切ることはない。よって、使用空間Ｓ内に置いた花瓶やコップ等の物品に薄型テレビＴが接触し、倒してしまうことを防止できる。
【００４７】
また図３に示すように、大き目画面を有する薄型テレビＴを取り付けた場合でも、薄型テレビＴを移動させることで、使用空間Ｓ内に置いた物品の出し入れが容易にできる。更に、薄型テレビＴは使用空間Ｓの周りを水平方向に回るので、薄型テレビＴを横に移動させて物品の出し入れをするようにした場合と相違して、床頭台１の外へ薄型テレビＴが大きくはみ出ることを防止できる。よって、床頭台１の横に置いた点滴スタンド等に薄型テレビＴがぶつかるような問題もない。
【実施例２】
【００４８】
図７及び図８は、本発明に係るディスプレイ取付装置及びそれを備えた物品収容構造体の第二の実施例を示す説明図である。
図７は、ディスプレイ取付装置を床頭台に取り付けた状態を示す一部拡大側面視説明図であり、ディスプレイ取付装置の取付状態が分かるように床頭台の天井部を断面して表している。
図８は、図７のI−I部分に対応する断面を示す概略説明図である。なお、図８では吊下体４とヒンジ８５の位置関係が分かるように、吊下部４、スペーサー５及び支持プレート７を想像線で表している。また図７で図示した配線コード３２は省略している。
【００４９】
なお、実施例１と同一または同等箇所には同一の符号を付して示している。また、実施例１で説明した箇所については、説明を省略し、主に相異点を説明する。
【００５０】
本実施例２に係るディスプレイ取付装置２ａでは、ディスプレイ回転体６ａとディスプレイ取付体８ａが別部材で構成されており、それらがヒンジ８５によって連結されている。このヒンジ８５はディスプレイ取付体８ａと共に、ディスプレイ回転体６ａの回転中心から離れた位置で薄型テレビＴをディスプレイ回転体６に取り付けるものである。ディスプレイ取付体８ａは背面視（図８参照）で長方形状に形成されており、薄型テレビＴの背面部をネジ止めできるようになっている。なお、ヒンジ８５は二または二以上並設することもできる。
【００５１】
ヒンジ８５としては、「フリーストップヒンジ」（商品名、型番ＴＨ−１２５−１、三渡工業株式会社製）を用いている。このヒンジ８５は、中心軸両側の二枚の取付板８５１，８５２の開閉方向に相当の荷重がかかっても、取付板４２を任意の開閉角度で静止させることができるものである。ヒンジ８５の構造は公知技術であるため、詳細な説明は省略する。これにより、図７に示すように、薄型テレビＴを取り付けたディスプレイ取付体８を所要の角度で静止することができ、薄型テレビＴを見やすい角度で固定できる。
【００５２】
その他の構成及び作用は、上記実施例１と同じであるため、説明を省略する。
【００５３】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００５４】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００５５】
【図１】薄型テレビを取り付けた状態を示すディスプレイ取付装置を備えた床頭台の斜視説明図。
【図２】図１の平面視説明図。
【図３】図３は図１の正面視説明図。
【図４】ディスプレイ取付装置を背面斜視方向から見た分解斜視説明図。
【図５】ディスプレイ取付装置を床頭台に取り付けた状態を示す一部拡大側面視説明図。
【図６】ディスプレイ取付体に設けてある薄型テレビの角度調整機構を示す斜視説明図。
【図７】ディスプレイ取付装置を床頭台に取り付けた状態を示す一部拡大側面視説明図。
【図８】図７のI−I部分に対応する断面を示す概略説明図。
【符号の説明】
【００５６】
１ 床頭台
Ｓ 使用空間
Ｔ 薄型テレビ
１０ 床頭台本体
１０１ 引出し  
１０２ 載置部
１１ 支持部材
１１１ 縁部
１２ 背面部材
１２１ 孔
１３ 天井部
１３０ 凹部
１３１ 底面部
１３２ 板材
１３３ 上面部
２，２ａ  ディスプレイ取付装置
３１ 表示面
３２ 配線コード
４ 吊下体
４１ ボルト
４２ 取付板
４２１ ネジ
５ スペーサー
５１ ローラー
５２ スペーサー本体
６，６ａ ディスプレイ回転体
６１ ボルト孔
７ 支持プレート
７１  ボルト孔
７２ フック
８，８ａ ディスプレイ取付体
８１ 角度調整部材
８１１，８１２ ヒンジ
８１３ 調整孔
８２ 取付プレート
８３ 載置部
８４ 孔
８５ ヒンジ  
８５１，８５２ 取付板
９１ ナット
９２ 袋ナット
【図１】
2006208834.tif 000003
【図２】
2006208834.tif 000004
【図３】
2006208834.tif 000005
【図４】
2006208834.tif 000006
【図５】
2006208834.tif 000007
【図６】
2006208834.tif 000008
【図７】
2006208834.tif 000009
【図８】
2006208834.tif 000010
【手続補正書】
【提出日】平成17年1月31日(2005.1.31)
【手続補正１】
【補正対象書類名】特許請求の範囲
【補正対象項目名】請求項４
【補正方法】変更
【補正の内容】
【請求項４】
請求項１，２または３記載のディスプレイ取付装置(1)を備えていることを特徴とする、
物品収容構造体。